【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
第１及び第２の光束を偏向して第１及び第２の被走査面のそれぞれを主走査方向に走査する偏向器と、
前記偏向器によって偏向された前記第１及び第２の光束を前記第１及び第２の被走査面のそれぞれに導光する共通の結像光学素子と、
前記偏向器と前記第１及び第２の被走査面のそれぞれとの間の光路上に配置される第１及び第２の反射光学系と、
を備え、
前記第１及び第２の反射光学系は、それぞれの光路上で前記結像光学素子に最も近い位置に配置される第１及び第２の反射光学素子を有し、
前記第１及び第２の反射光学素子のそれぞれにおける前記第１及び第２の光束の第１及び第２の反射点は、前記偏向器を含み該偏向器の回転軸に垂直な平面に対して互いに反対側に位置しており、
前記結像光学素子の光軸を含む副走査断面内において、前記第１の光束のうち、前記結像光学素子の出射面及び入射面で順に反射されて該出射面から出射した直後のゴースト光束の主光線の延長線は、光軸方向における前記第１及び第２の反射点の間で前記平面と交差することを特徴とする光走査装置。
【請求項２】
前記第１の光束は、前記偏向器の近傍において、前記平面と交差することを特徴とする請求項１に記載の光走査装置。
【請求項３】
前記副走査断面内において、前記ゴースト光束のマージナル光線の延長線は、光軸方向における前記第１及び第２の反射点の間で、前記主光線の延長線と交差することを特徴とする請求項１又は２に記載の光走査装置。
【請求項４】
前記第１の光束は、前記偏向器の近傍において、前記平面と交差しないことを特徴とする請求項１に記載の光走査装置。
【請求項５】
前記副走査断面内において、前記ゴースト光束のマージナル光線の延長線は、前記第１及び第２の反射点に対して前記偏向器とは反対の側で、前記主光線の延長線と交差することを特徴とする請求項４に記載の光走査装置。
【請求項６】
前記副走査断面内において、前記ゴースト光束のマージナル光線の延長線は、前記主光線の延長線と交差しないことを特徴とする請求項４に記載の光走査装置。
【請求項７】
前記副走査断面内において、前記第２の反射光学素子は、光軸方向における前記結像光学素子と前記第１の反射光学素子との間に配置されていることを特徴とする請求項１乃至６のいずれか一項に記載の光走査装置。
【請求項８】
前記副走査断面内において、前記結像光学素子と前記第１の反射光学素子との光軸方向での距離は、前記結像光学素子と前記第２の反射光学素子との光軸方向での距離の２倍以上であることを特徴とする請求項１乃至７のいずれか一項に記載の光走査装置。
【請求項９】
前記偏向器は、前記第１及び第２の光束それぞれを互いに異なる偏向面で偏向することを特徴とする請求項１乃至８のいずれか一項に記載の光走査装置。
【請求項１０】
第１及び第２の光束を偏向して第１及び第２の被走査面のそれぞれを主走査方向に走査する偏向器と、
前記偏向器によって偏向された前記第１及び第２の光束を前記第１及び第２の被走査面のそれぞれに導光する共通の結像光学素子と、
前記偏向器と前記第１及び第２の被走査面のそれぞれとの間の光路上に配置される第１及び第２の反射光学系と、
を備え、
前記第１及び第２の反射光学系は、それぞれの光路上で前記結像光学素子に最も近い位置に配置される第１及び第２の反射光学素子を有し、
前記第１及び第２の反射光学素子のそれぞれにおける前記第１及び第２の光束の第１及び第２の反射点は、前記偏向器を含み該偏向器の回転軸に垂直な平面に対して互いに反対側に位置しており、
前記偏向器と前記結像光学素子との光軸方向での距離をＬ、前記結像光学素子の光軸上での肉厚をｄ、前記結像光学素子の屈折率をｎ、光軸上における前記結像光学素子の入射面及び出射面それぞれの副走査断面内でのパワーをφ１及びφ２、前記第１の被走査面の軸上像高に向かう前記第１の光束の主光線の前記偏向器における偏向点と前記平面との副走査方向での距離をＤ、該主光線の前記偏向器に対する副走査断面内での入射角をβとし、
【数１】
2018054984.tif 000001
【数２】
2018054984.tif 000002
【数３】
2018054984.tif 000003
【数４】
2018054984.tif 000004
【数５】
2018054984.tif 000005
とし、
前記結像光学素子と前記第１及び第２の反射点との光軸方向での距離を各々Ｘ１及びＸ２としたとき、
Ｘ２＜ＸＧ＜Ｘ１
なる条件式を満足することを特徴とする光走査装置。
【請求項１１】
請求項１乃至１０のいずれか一項に記載の光走査装置と、該光走査装置によって被走査面に形成された静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１２】
請求項１乃至１０のいずれか一項に記載の光走査装置と、外部機器から出力されたコードデータを画像信号に変換して前記光走査装置に入力するプリンタコントローラとを備えることを特徴とする画像形成装置。
【手続補正２】
【補正対象書類名】明細書
【補正対象項目名】０００６
【補正方法】変更
【補正の内容】
【０００６】
本発明に係る光走査装置は、第１及び第２の光束を偏向して第１及び第２の被走査面のそれぞれを主走査方向に走査する偏向器と、偏向器によって偏向された第１及び第２の光束を第１及び第２の被走査面のそれぞれに導光する共通の結像光学素子と、偏向器と第１及び第２の被走査面のそれぞれとの間の光路上に配置される第１及び第２の反射光学系とを備え、第１及び第２の反射光学系は、それぞれの光路上で結像光学素子に最も近い位置に配置される第１及び第２の反射光学素子を有し、第１及び第２の反射光学素子のそれぞれにおける第１及び第２の光束の第１及び第２の反射点は、偏向器を含み偏向器の回転軸に垂直な平面に対して互いに反対側に位置しており、結像光学素子の光軸を含む副走査断面内において、第１の光束のうち、結像光学素子の出射面及び入射面で順に反射されて出射面から出射した直後のゴースト光束の主光線の延長線は、光軸方向における第１及び第２の反射点の間で前記平面と交差することを特徴とする。
【手続補正３】
【補正対象書類名】明細書
【補正対象項目名】００１２
【補正方法】変更
【補正の内容】
【００１２】
第一実施形態に係る光走査装置１００は、光源１Ａ、１Ｂ、１Ｃ及び１Ｄ、カップリングレンズ２Ａ、２Ｂ、２Ｃ及び２Ｄ、シリンドリカルレンズ３Ａ、３Ｂ、３Ｃ及び３Ｄ、副走査絞り４１、主走査絞り４２を備えている。また、光走査装置１００は、偏向器５、第１の結像レンズ（共通の結像光学素子）６１及び６２、第２の結像レンズ７Ａ、７Ｂ、７Ｃ及び７Ｄ、反射ミラーＭ１、Ｍ２、Ｍ３、Ｍ’１、Ｍ’２及びＭ’３を備えている。さらに、光走査装置１００は、防塵ガラス９Ａ、９Ｂ、９Ｃ及び９Ｄ、及び不図示のハウジングを備えている。
カップリングレンズ２Ａ、２Ｂ、２Ｃ及び２Ｄ、シリンドリカルレンズ３Ａ、３Ｂ、３Ｃ及び３Ｄ、副走査絞り４１、及び主走査絞り４２によって、本実施形態に係る光走査装置１００の入射光学系７５が構成される。
また、第１の結像レンズ６１及び６２、及び第２の結像レンズ７Ａ、７Ｂ、７Ｃ及び７Ｄによって、本実施形態に係る光走査装置１００の結像光学系８５が構成される。
また、反射ミラーＭ１、Ｍ２、Ｍ３、Ｍ’１、Ｍ’２及びＭ’３によって、本実施形態に係る光走査装置１００の反射光学系９５が構成される。
より具体的には、反射ミラーＭ１によって、第１の反射光学系が構成され、反射ミラーＭ２及びＭ３によって、第２の反射光学系が構成される。また、反射ミラーＭ’２及びＭ’３によって、第３の反射光学系が構成され、反射ミラーＭ’１によって、第４の反射光学系が構成される。そして、偏向器５と被走査面８Ａ、８Ｂ、８Ｃ及び８Ｄのそれぞれとの間の光路上に、第１、第２、第３及び第４の反射光学系が配置される。
【手続補正４】
【補正対象書類名】明細書
【補正対象項目名】００２９
【補正方法】変更
【補正の内容】
【００２９】
本実施形態では、ゴースト光束ＲＧとしては、光束ＲＡのうち第１の結像レンズ６１の出射面及び入射面でそれぞれ１回ずつ（すなわち、順に）反射し、第１の結像レンズ６１の出射面から出射する内面反射ゴースト光束を検討する。
光束ＲＡのうち第１の結像レンズ６１の出射面及び入射面でそれぞれ複数回反射して生成されたゴースト光束も存在する。しかしながら、反射防止膜がコートされていないプラスチックモールドレンズのレンズ面での反射率は４％程度であり、そのような複数回反射した内面反射ゴースト光束は光量が十分小さくなるため、問題とはならない。
従って、以降においては、ゴースト光束とは、光束ＲＡのうち第１の結像レンズ６１の出射面及び入射面でそれぞれ１回ずつ反射し、第１の結像レンズ６１の出射面から出射する内面反射ゴースト光束を指すこととする。
【手続補正５】
【補正対象書類名】明細書
【補正対象項目名】００３０
【補正方法】変更
【補正の内容】
【００３０】
本実施形態に係る光走査装置１００では、ゴースト光束ＲＧは、第１の結像レンズ６１の光軸を含む副走査断面内における反射ミラーＭ１と反射ミラーＭ２との間で、副走査方向に集光されるように構成されている。より具体的には、ゴースト光束ＲＧは、第１の結像レンズ６１の光軸を含む副走査断面内における反射ミラーＭ１の光束ＲＡの反射点（第１の反射点）と反射ミラーＭ２の光束ＲＢの反射点（第２の反射点）との間で、副走査方向に集光される。そして、第１の結像レンズ６１の出射面から出射直後のゴースト光束ＲＧの主光線の延長線ＲＧｐは、その集光位置又はその近傍において、第１の結像レンズ６１の光軸（基準軸）を含む主走査断面である基準面（偏向器を含み偏向器の回転軸に垂直な平面）１０１と交差する。
これは、上記のように、光源１Ａ及び１Ｂから出射した光束ＲＡ及びＲＢが、偏向器５の偏向面５１の近傍において、基準面１０１と交差し、且つ、副走査方向に集光されるように構成されているためである。
また、光束ＲＣ及びＲＤについても、反射ミラーＭ’１と反射ミラーＭ’２に対して、上記と同様に構成する。
なお、ここで、「集光位置の近傍」及び「偏向面の近傍」とは、その位置から１ｍｍ程度の範囲のことを指す。
【手続補正６】
【補正対象書類名】明細書
【補正対象項目名】００３９
【補正方法】変更
【補正の内容】
【００３９】
第１の結像レンズ６１の出射面からゴースト光束ＲＧの集光位置までの光軸に沿った（光軸方向での）距離ＸＣは、偏向面５１から第１の結像レンズ６１までの光軸に沿った距離をＬ、第１の結像レンズ６１の光軸に沿った肉厚をｄ、第１の結像レンズ６１の屈折率をｎ、光軸上における第１の結像レンズ６１の入射面及び出射面それぞれの副走査断面内パワーをφ1及びφ２としたとき、以下の式（３）で表すことができる。
【数３】
2018054984.tif 000006
【手続補正７】
【補正対象書類名】明細書
【補正対象項目名】００５５
【補正方法】変更
【補正の内容】
【００５５】
従って、本実施形態に係る光走査装置２００のように、光束ＲＡ及びＲＢが、偏向器５の偏向面５１の近傍の副走査方向に集光される位置において、基準面１０１と交差しない構成の場合には、第１の結像レンズ６１のゴースト光束ＲＧに対する後側焦点位置が、第１の結像レンズ６１の光軸を含む副走査断面内における反射ミラーＭ１と反射ミラーＭ２との間にあればよい。
そして、ゴースト光束ＲＧは、第１の結像レンズ６１の光軸を含む副走査断面内における反射ミラーＭ１より偏向器５の反対側（反射ミラーＭ１に対して（反射ミラーＭ１を基準として）偏向器５とは反対の側）で、副走査方向に集光されていてもよい。また、第１の結像レンズ６１の配置とパワーの関係によっては、ゴースト光束ＲＧが副走査方向に集光されない場合もある。
もし、ゴースト光束ＲＧが副走査方向に集光される場合には、第一実施形態と同様に、被走査面８Ｂへ到達することによる画像への影響を低減するために、第１の結像レンズ６１の光軸を含む副走査断面内における反射ミラーＭ２より偏向器５の反対側（反射ミラーＭ２に対して（反射ミラーＭ２を基準として）偏向器５とは反対の側）で、集光させることが好ましい。
【手続補正８】
【補正対象書類名】明細書
【補正対象項目名】００５６
【補正方法】変更
【補正の内容】
【００５６】
第１の結像レンズ６１の出射面から第１の結像レンズ６１のゴースト光束ＲＧに対する後側焦点位置までの光軸に沿った（光軸方向での）距離ＸＦは、第１の結像レンズ６１の光軸に沿った肉厚をｄ、第１の結像レンズ６１の屈折率をｎ、光軸上における第１の結像レンズ６１の入射面及び出射面それぞれの副走査断面内パワーをφ1及びφ２としたとき、以下の式（５）で表すことができる。
【数５】
2018054984.tif 000007